(57)【要約】【課題】所定形状に打抜かれたシート材を折り曲げるだけで組み立てることができ、安価で且つ包装状態での緩衝作用の高い組立包装部材を提供する。【解決手段】基部板１の両側に一対の側壁板２を連設し、基部板１の他方側に緩衝部形成板７を連設する。緩衝部形成板７は、基部板１から外方に向かって夫々折目線を介して第１外側片８、上側片９、内側片１０、下側片１１、及び第２外側片１２を備える。側壁板２を起立させ、第１外側片８を起立させて、更に、上側片９、内側片１０、下側片１１及び第２外側片１２を夫々直角に巻き込み方向に折り曲げて緩衝部形成板７による四角筒状の緩衝部３を形成する。側壁板１の緩衝部３に交差する位置に切欠き５を設け、下側片１１及び内側片１０に形成された係止穴部１３に係止させて、側壁板２と緩衝部３とを連結する。【選択図】図３
0003137157.tif 000002
【実用新案登録請求の範囲】
【請求項１】
所定形状に打抜かれたシート材を折り曲げることにより組み立てられ、物品に装着して物品を包装する組立包装部材において、
矩形状の基部板の両側に沿って延びる一対の第１側縁のそれぞれに折目線を介して連設された側壁板と、前記基部板の両第１側縁の少なくとも一方端に直交する方向に延びる第２側縁に連設され、該第２側縁の両端方向のそれぞれに所定寸法延出する形状の緩衝部形成板とを備え、
該緩衝部形成板は、前記基部板の第２側縁に折目線を介して連設された第１外側片と、該第１外側片の先端縁に折目線を介して連設された上側片と、該上側片の先端縁に折目線を介して連設された内側片と、該内側片の先端縁に折目線を介して連設された下側片と、該下側片の先端縁に折目線を介して連設された第２外側片とを備え、
両側壁板を基部板に対して起立させ、第１外側片を基部板に対して起立させると共に、上側片、内側片、下側片及び第２外側片を夫々直角に巻き込み方向に折り曲げ、更に、下側片を基部板上に重合させ且つ第２外側片を第１外側片の内側に重合させることにより緩衝部形成板による四角筒状の緩衝部を形成し、各側壁板の該緩衝部に交差する位置に形成された切欠きを、該緩衝部を形成する下側片及び内側片に形成された係止穴部に係止させて成ることを特徴とする組立包装部材。
【請求項２】
前記緩衝部形成板の前記下側片は、前記第２外側片に対して直角に折り曲げた際に該第２外側片の一部から遊離する突片を備え、
前記第１外側片は、前記基部板の第２側縁との境界に沿った一部に挿着穴部を備え、
緩衝部形成板による四角筒状の緩衝部を形成する際に下側片を基部板上に重合させ且つ第２外側片を第１外側片の内側に重合させたとき、下側片の突片を第１外側片の挿着穴部に挿着させることを特徴とする請求項１記載の組立包装部材。
【請求項３】
前記緩衝部形成板は、前記基部板の両第１側縁の両端に直交する方向に延びる一対の第２側縁のそれぞれに連設されていることを特徴とする請求項１又は２記載の組立包装部材。
【考案の詳細な説明】
【技術分野】
【０００１】
本考案は、所定形状に打抜かれたシート材を折り曲げることにより組み立てられ、緩衝部を備えて物品を保護状態で包装することができる組立包装部材に関する。
【背景技術】
【０００２】
従来、物品の輸送や保管に際して物品を包装するために段ボール製の包装部材が用いられる。この種の包装部材は、、物品に装着可能な箱形状やトレー形状に形成されるが、更に、物品同士の接触による物品の損傷を防止するために包装部材と物品との間に緩衝材を取付けることが行なわれる。
【考案の開示】
【考案が解決しようとする課題】
【０００３】
しかし、包装部材と緩衝材とが別部材であると、包装部材を形成するための作業に加えて包装部材に緩衝材を取付けるための作業が必要となるために手数やコストがかかる不都合がある。
【０００４】
かかる不都合を解消して、本考案は、所定形状に打抜かれたシート材を折り曲げるだけで組み立てることができ、安価で且つ包装状態での緩衝作用の高い組立包装部材を提供することを目的とする。
【課題を解決するための手段】
【０００５】
かかる目的を達成するために、本考案は、所定形状に打抜かれたシート材を折り曲げることにより組み立てられ、物品に装着して物品を包装する組立包装部材において、矩形状の基部板の両側に沿って延びる一対の第１側縁のそれぞれに折目線を介して連設された側壁板と、前記基部板の両第１側縁の少なくとも一方端に直交する方向に延びる第２側縁に連設され、該第２側縁の両端方向のそれぞれに所定寸法延出する形状の緩衝部形成板とを備え、該緩衝部形成板は、前記基部板の第２側縁に折目線を介して連設された第１外側片と、該第１外側片の先端縁に折目線を介して連設された上側片と、該上側片の先端縁に折目線を介して連設された内側片と、該内側片の先端縁に折目線を介して連設された下側片と、該下側片の先端縁に折目線を介して連設された第２外側片とを備え、両側壁板を基部板に対して起立させ、第１外側片を基部板に対して起立させると共に、上側片、内側片、下側片及び第２外側片を夫々直角に巻き込み方向に折り曲げ、更に、下側片を基部板上に重合させ且つ第２外側片を第１外側片の内側に重合させることにより緩衝部形成板による四角筒状の緩衝部を形成し、各側壁板の該緩衝部に交差する位置に形成された切欠きを、該緩衝部を形成する下側片及び内側片に形成された係止穴部に係止させて成ることを特徴とする。
【０００６】
本考案によれば、各折目線に沿って折り曲げるだけで、基部板に一体の緩衝部を形成することができ、極めて容易に組み立てられて安価な組立包装部材を提供することができる。しかも、緩衝部は、緩衝部形成板を四角筒状に折り曲げて形成されたものであるだけでなく、下側片の基部板上への重合及び第１外側片と第２外側片との重合によって高い強度が確保されているので、組立包装部材を物品に装着した際に外部からの衝撃を十分に吸収して物品の損傷を確実に防止することができる。そして、特に、緩衝部形成板が第２側縁の両端方向のそれぞれに所定寸法延出する形状であることによって、四角筒状の緩衝部を形成したときに、緩衝部の両端開口側からの衝撃にも十分に対抗することができ、例えば、同形の複数の物品を隣接して配列させた場合にも、物品間に十分な空隙を形成して物品同士の接触を確実に防止することができる。
【０００７】
また、本考案において、前記緩衝部形成板の前記下側片は、前記第２外側片に対して直角に折り曲げた際に該第２外側片の一部から遊離する突片を備え、前記第１外側片は、前記基部板の第２側縁との境界に沿った一部に挿着穴部を備え、緩衝部形成板による四角筒状の緩衝部を形成する際に下側片を基部板上に重合させ且つ第２外側片を第１外側片の内側に重合させたとき、下側片の突片を第１外側片の挿着穴部に挿着させることを特徴とする。これによれば、緩衝部形成板を四角筒状として形成された緩衝部の形状を強固に維持することができ、緩衝部による緩衝効果を向上させることができる。
【０００８】
また、本考案において、前記緩衝部形成板は、前記基部板の両第１側縁の両端に直交する方向に延びる一対の第２側縁のそれぞれに連設されていることを特徴とする。これによれば、基部板の周縁に一対の側壁板と一対の緩衝部とを一体に形成することができ、組立包装部材を物品に装着した際に物品の外周を全周にわたって確実に保護することができる。
【考案を実施するための最良の形態】
【０００９】
本考案の実施形態を図面に基づいて説明する。図１は本実施形態の組立包装部材による物品の包装状態を示す説明的側面図、図２は図１における物品底部用の組立包装部材の一つを示す平面図、図３は図２の組立包装部材の展開図、図４は図２のIV−IV線断面図、図５は図１における物品天部用の組立包装部材を示す平面図、図６は図５の組立包装部材の展開図である。
【００１０】
図１において、Ｗは自動販売機等の比較的大型な四角柱状の物品、Ａは物品Ｗの底部に装着した本考案の一形態である物品底部用の組立包装部材、Ｂは物品Ｗの天部に装着した本考案の他の形態である物品天部用の組立包装部材を示している。
【００１１】
先ず、物品底部用の組立包装部材Ａについて説明する。この組立包装部材Ａは、図２に示すように、平坦な基部板１と、該基部板１を介して一方向に互いに対向して起立する一対の側壁板２とを備えている。基部板１の他方の一側には、四角筒状の緩衝部３が設けられている。
【００１２】
そして、物品底部用の組立包装部材Ａを物品Ｗの底部に装着したときには、図１に示すように、基部板１は物品Ｗの底部下面に当接され、両側壁板２と緩衝部３とは物品Ｗの底部側外周に当接される。なお、基部板１には、物品Ｗの脚Ｘと干渉しないように凹部１ａ（図２参照）が形成されている。
【００１３】
物品底部用の組立包装部材Ａは、図３に示すように、所定形状に打抜かれた段ボール製シート材を折り曲げることにより組み立てられる。このシート材において、基部板１の両側の端縁（第１側縁）には折目線ａを介して一対の側壁板２が連設されている。両側壁板２の外側端縁には、切折線ｂを介して折返し片４が連設されている。後述するが、折返し片４は側壁板２の内側に折り返されて側壁板２と重合するものである。側壁板２と折返し片４とには、切欠き５が形成されており、この切欠き５により側壁板２と折返し片４との端部に係止部６が形成されている。
【００１４】
また、基部板１の他側の端縁（第２側縁）には、この端縁よりも長さが長く両側に定寸法延出する形状の緩衝部形成板７が連設されている。該緩衝部形成板７は、四角筒状の緩衝部３（図１及び図２参照）を形成するものであり、基部板１に折目線ｃを介して連設された第１外側片８と、該第１外側片８の先端縁に折目線ｄを介して連設された上側片９と、該上側片９の先端縁に折目線ｅを介して連設された内側片１０と、該内側片１０の先端縁に折目線ｆを介して連設された下側片１１と、該下側片１１の先端縁に折目線ｇを介して連設された第２外側片１２とを備えている。
【００１５】
下側片１１及び内側片１０には係止穴部１３が形成されており、緩衝部３を形成したときに、側壁板２と折返し片４とに形成された切欠き５が嵌り込んで係止部６により係止される。更に、下側片１１には、該下側片１１を第２外側片１２に対して直角に折り曲げた際に該第２外側片１２の一部から遊離する突片１４が形成されており、第１外側片８には、緩衝部３を形成したときに該突片１４を挿着させる挿着穴部１５が基部板１との境界に沿って形成されている。
【００１６】
物品底部用の組立包装部材Ａを組み立てるときには、先ず、両側壁板２を基部板１に対して直角に折り曲げて起立させる。次いで、各折返し片４を夫々内方に折り返して側壁板２の内側に重合させる。続いて、第１外側片８を基部板１に対して起立させ、更にこのとき、上側片９、内側片１０、下側片１１及び第２外側片１２を夫々直角に巻き込み方向に折り曲げる。これにより、図４に示すように、下側片１１が基部板１上に重合し、第２外側片１２が第１外側片８の内側に重合する。このとき、下側片１１の突片１４を第１外側片８の挿着穴部１５に挿着して係合させ、また、側壁板２と折返し片４とに形成された切欠き５に下側片１１及び内側片１０の係止穴部１３を嵌め合わせて係止させる。これにより、緩衝部形成板７による四角筒状の緩衝部３が形成され、両側壁板２と緩衝部３とが互いに連結状態となって、図２に示すように、物品底部用の組立包装部材Ａが組み立てられる。そして、物品底部用の組立包装部材Ａを図１に示すように物品Ｗの底部に装着したときには、四角筒状の緩衝部３によって外部からの衝撃が緩和されて物品Ｗの損傷が防止される。しかも、緩衝部３が起立状態の両側壁板２よりも外方に延出しているので、側壁板２側からの衝撃も緩衝部３によって受けることができる。更には、物品Ｗを隣接して配列させた場合にも、緩衝部３によって物品Ｗ間に十分な空隙を形成して物品Ｗ同士の接触を確実に防止することができる。
【００１７】
次に、物品天部用の組立包装部材Ｂについて説明する。この組立包装部材Ｂは、前述した構成の一対の物品底部用の組立包装部材Ａを互いに一体に連結した場合と同様な構成を有している。即ち、図５に示すように、平坦な矩形状の基部板１６と、該基部板１６を介して一方向に互いに対向して起立する一対の側壁板１７とを備えている。そして、両側壁板１７が対向する方向と直交する方向に対向する一対の四角筒状の緩衝部３が設けられている。該緩衝部３は、前述した物品底部用の組立包装部材Ａに設けられているものと同じ構成である。
【００１８】
物品天部用の組立包装部材Ｂを物品Ｗの天部に装着したときには、図１に示すように、基部板１６は物品Ｗの天部上面に当接され、両側壁板１７と両緩衝部３とは物品Ｗの天部側外周に当接される。
【００１９】
物品天部用の組立包装部材Ｂは、図６に示すように、所定形状に打抜かれた段ボール製シート材を折り曲げることにより組み立てられる。このシート材において、基部板１６の両側の端縁（第１側縁）には折目線ｈを介して一対の側壁板１７が連設されている。両側壁板１７の外側端縁には、切折線ｉを介して折返し片１８が連設されている。側壁板１７と折返し片１８とには、一対の切欠き５が形成されており、この切欠き５により側壁板１７と折返し片１８との両端部に係止部６が形成されている。切欠き５及び係止部６の形状は前述した物品底部用の組立包装部材Ａに設けられているものと同じである。
【００２０】
また、基部板１６の他側の両端縁（第２側縁）には、一対の緩衝部形成板７が連設されている。各緩衝部形成板７は、基部板１６に折目線ｃを介して連設された第１外側片８と、該第１外側片８の先端縁に折目線ｄを介して連設された上側片９と、該上側片９の先端縁に折目線ｅを介して連設された内側片１０と、該内側片１０の先端縁に折目線ｆを介して連設された下側片１１と、該下側片１１の先端縁に折目線ｇを介して連設された第２外側片１２とを備えている。下側片１１及び内側片１０には係止穴部１３が形成されている。更に、下側片１１には、該下側片１１を第２外側片１２に対して直角に折り曲げた際に該第２外側片１２の一部から遊離する突片１４が形成されており、第１外側片８には、基部板１との境界に沿って挿着穴部１５が形成されている。
【００２１】
物品天部用の組立包装部材Ｂの組み立て手順は、前述した物品底部用の組立包装部材Ａと同様に、両側壁板１７を起立させて各折返し片１８を内方に折り返し、その後、両緩衝部形成板７から四角筒状の緩衝部３を形成し、図５に示す形状に組み立てる。そして、物品天部用の組立包装部材Ｂの場合にも、図１に示すように物品Ｗの天部に装着したときには、四角筒状の一対の緩衝部３によって外部からの衝撃が緩和されて物品Ｗの損傷が防止される。しかも、両緩衝部３が起立状態の両側壁板１７よりも外方に延出しているので、側壁板１７側からの衝撃も緩衝部３によって受けることができ、物品Ｗを隣接して配列させても物品Ｗ同士の接触を確実に防止することができる。
【図面の簡単な説明】
【００２２】
【図１】本考案の実施形態の組立包装部材による物品の包装状態を示す説明的側面図。
【図２】図１における物品底部用の組立包装部材を示す平面図。
【図３】図２の組立包装部材の展開図。
【図４】図２のIV−IV線断面図。
【図５】図１における物品天部用の組立包装部材を示す平面図。
【図６】図５の組立包装部材の展開図。
【符号の説明】
【００２３】
Ｗ…物品、Ａ，Ｂ…組立包装部材、１，１６…基部板、２，１７…側壁板、３…緩衝部、５…切欠き、７…緩衝部形成板、８…第１外側片、９…上側片、１０…内側片、１１…下側片、１２…第２外側片、１３…係止穴部、１４…突片、１５…挿着穴部。
【図１】
0003137157.tif 000003
【図２】
0003137157.tif 000004
【図３】
0003137157.tif 000005
【図４】
0003137157.tif 000006
【図５】
0003137157.tif 000007
【図６】
0003137157.tif 000008